(57)【要約】【課題】全てが１つの器具本体に収納されそれぞれ選択されて点灯する複数のＬＥＤに対して寿命となるタイミングを近づける。【解決手段】照明装置１は、複数のＬＥＤ２，２，……と、複数の点灯回路３，３，……と、制御部４４と、演算部４７と、器具本体５とを備える。複数のＬＥＤ２，２，……は、予め定められた対象エリアに向かって同一色の光を発する。複数の点灯回路３，３，……は、それぞれが異なるＬＥＤ２に電力を供給する。器具本体５には、各ＬＥＤ２と各点灯回路３とが収納されている。制御部４４は、各ＬＥＤ２の点灯状態を個別に制御して所定の光出力に調光する。演算部４７は、各ＬＥＤ２ごとに、これまでの各点灯時の点灯時間と点灯中の負荷とからＬＥＤ２の劣化の程度を表わす評価値を求める。制御部４４は、所定の光出力に調光する場合に、複数のＬＥＤ２，２，……の中から、点灯させるＬＥＤ２を評価値の小さいほうから順に選択する。【選択図】図１
2011233263.tif 000002
【特許請求の範囲】
【請求項１】
予め定められた対象エリアを照明する照明装置であって、
前記対象エリアに向かって同一色の光を発する複数のＬＥＤと前記複数のＬＥＤが設置される器具本体とを有する灯具と、
各ＬＥＤの点灯状態を個別に制御して所定の光出力に調光する制御部と、
各ＬＥＤごとに、これまでの各点灯時の点灯時間と点灯中の負荷とからＬＥＤの劣化の程度を表わす評価値を求める演算部とを備え、
前記制御部は、前記所定の光出力に調光する場合に、前記複数のＬＥＤの中から、点灯させるＬＥＤを前記評価値の小さいほうから順に選択する
ことを特徴とする照明装置。
【請求項２】
各ＬＥＤには、優先順位が予め設定され、
前記制御部は、２以上のＬＥＤにおいて前記評価値が同じになった場合に、前記優先順位の高いＬＥＤを優先して点灯させる
ことを特徴とする請求項１記載の照明装置。
【請求項３】
各ＬＥＤは調光可能であり、
前記演算部は、各ＬＥＤごとに、前記評価値として、これまでの各点灯時の点灯時間と調光率との積の累積値を求める
ことを特徴とする請求項１または２記載の照明装置。
【請求項４】
それぞれが異なるＬＥＤに電力を供給する複数の点灯回路と、
各点灯回路の温度を個別に検知する温度検知部とを備え、
前記演算部は、前記温度検知部の検知結果を用いて、各ＬＥＤごとに、前記評価値として、これまでの各点灯時の点灯時間の累積値である累積点灯時間と、前記ＬＥＤに電力を供給する点灯回路の温度との積を求める
ことを特徴とする請求項１または２記載の照明装置。
【請求項５】
前記所定の光出力は、前記複数のＬＥＤの全てが調光下限で点灯する場合の光出力未満であり、
前記制御部は、前記所定の光出力に調光する場合に、点灯させるＬＥＤを調光下限で点灯させる
ことを特徴とする請求項１〜４のいずれか１項に記載の照明装置。
【発明の詳細な説明】
【技術分野】
【０００１】
本発明は、予め定められた対象エリアを照明する照明装置に関する。
【背景技術】
【０００２】
従来から、予め定められた対象エリア内の明るさを調節するために照明器具の調光率を変更する照明システムが種々開発されている。従来の照明システムとしては、集中制御型のシステムと分散制御型のシステムとがある。集中制御型のシステムは、それぞれが光源を有する複数の照明器具と、複数の照明器具を制御する制御器とを備え、制御器から各照明器具への通信信号によって各照明器具を点灯制御する。分散制御型のシステムは、複数の照明器具間で通信信号を送受信することによって、自己の照明器具が点灯すると同時に、他の照明器具も同様に点灯制御する。
【０００３】
これら従来の照明システムは、対象エリアに人が存在する場合、各照明器具が全点灯（１００％点灯）し、対象エリアに人が存在しない場合、各照明器具が調光率を下げて点灯するか、全ての照明器具が消灯する。これにより、従来の照明システムは、無駄な電力の消費を抑え、省エネルギーを実現する。
【０００４】
ところで、従来の照明システムでは、全ての照明器具が消灯すると対象エリアが真っ暗になり、他のエリアにいる人が対象エリアを見ることができなくなるため、対象エリアの安全性が低下する。このため、従来の照明システムは、対象エリアに人が存在しない場合、全ての照明器具が消灯するよりも、各照明器具が調光率を下げて点灯するほうが好ましい。その結果、人の不在時に対象エリアを真っ暗にならない程度の明るさにすることができるので、対象エリアの安全性を高めつつ省エネルギー効果を得ることができる。
【０００５】
なお、従来から、赤色光を発するＬＥＤ・緑色光を発するＬＥＤ・青色光を発するＬＥＤへの各供給電力を、各ＬＥＤの点灯時間に対する光出力補正テーブルを参照して補正する照明装置が開示されている（例えば特許文献１参照）。
【先行技術文献】
【特許文献】
【０００６】
【特許文献１】特開２００６−３１８７７３号公報
【発明の概要】
【発明が解決しようとする課題】
【０００７】
ところで、照明システムが照明する対象エリアは、上述したように、人の不在時に真っ暗にならない程度の明るさであることが好ましい。
【０００８】
しかしながら、従来の照明システムは、光源を点灯させるための点灯回路で規定される調光下限以下に調光率を設定することができないため、人の不在時に対象エリアの照度を必要以上に高くしていた。その結果、従来の照明システムには、無駄な電力を消費し、省エネルギー効果を高めることができないという問題があった。
【０００９】
上記問題を解決する手法としては、人の不在時において、対象エリアの照度を下げるために、複数の照明器具のいくつかを間引き点灯することが考えられる。しかしながら、複数の照明器具のいくつかを間引き点灯する場合、点灯している照明器具の間隔が広がるため、対象エリア全体の平均照度が下がっても、部分的に照度の高い場所と照度の低い場所とが発生し、照度むらが大きくなってしまう。また、対象エリア内の人が天井を見上げたときに、点灯している照明器具がまだらに見えるため、意匠的にも好ましくない。さらに、各照明器具ごとに光源が寿命となるタイミングのばらつきが大きくなり、光源の交換などメンテナンス上好ましくない。
【００１０】
上記問題を解決する他の手法としては、光源として複数のＬＥＤが１つの器具本体に設置されている照明装置を用いることが考えられる。この照明装置は、複数のＬＥＤを全て点灯させるのではなく、複数のＬＥＤの中から、点灯させるＬＥＤを選択することによって、所定の光出力にすることができる。
【００１１】
しかしながら、上記照明装置では、ＬＥＤ間において、点灯させるＬＥＤとして選択される頻度に差が生じてしまう。つまり、点灯させるＬＥＤとして選択される頻度の高いＬＥＤと、点灯させるＬＥＤとして選択される頻度の低いＬＥＤとが発生する。このため、上記照明装置では、ＬＥＤ間において累積点灯時間に差が生じ、ＬＥＤごとに、寿命となるタイミングが異なってしまうという問題があった。
【００１２】
本発明は上記の点に鑑みて為され、本発明の目的は、全てが１つの器具本体に収納されそれぞれ選択されて点灯する複数のＬＥＤに対して寿命となるタイミングを近づけることができる照明装置を提供することにある。
【課題を解決するための手段】
【００１３】
本発明の照明装置は、予め定められた対象エリアを照明する照明装置であって、前記対象エリアに向かって同一色の光を発する複数のＬＥＤと前記複数のＬＥＤが設置される器具本体とを有する灯具と、各ＬＥＤの点灯状態を個別に制御して所定の光出力に調光する制御部と、各ＬＥＤごとに、これまでの各点灯時の点灯時間と点灯中の負荷とからＬＥＤの劣化の程度を表わす評価値を求める演算部とを備え、前記制御部は、前記所定の光出力に調光する場合に、前記複数のＬＥＤの中から、点灯させるＬＥＤを前記評価値の小さいほうから順に選択することを特徴とする。
【００１４】
この照明装置において、各ＬＥＤには、優先順位が予め設定され、前記制御部は、２以上のＬＥＤにおいて前記評価値が同じになった場合に、前記優先順位の高いＬＥＤを優先して点灯させることが好ましい。
【００１５】
この照明装置において、各ＬＥＤは調光可能であり、前記演算部は、各ＬＥＤごとに、前記評価値として、これまでの各点灯時の点灯時間と調光率との積の累積値を求めることが好ましい。
【００１６】
この照明装置において、それぞれが異なるＬＥＤに電力を供給する複数の点灯回路と、各点灯回路の温度を個別に検知する温度検知部とを備え、前記演算部は、前記温度検知部の検知結果を用いて、各ＬＥＤごとに、前記評価値として、これまでの各点灯時の点灯時間の累積値である累積点灯時間と、前記ＬＥＤに電力を供給する点灯回路の温度との積を求めることが好ましい。
【００１７】
この照明装置において、前記所定の光出力は、前記複数のＬＥＤの全てが調光下限で点灯する場合の光出力未満であり、前記制御部は、前記所定の光出力に調光する場合に、点灯させるＬＥＤを調光下限で点灯させることが好ましい。
【発明の効果】
【００１８】
本発明は、所定の光出力に調光する場合に、各ＬＥＤごとにこれまでの点灯時の点灯時間と点灯中の負荷とからＬＥＤの劣化の程度を表わす評価値を求め、複数のＬＥＤの中から、点灯させるＬＥＤを評価値の小さいほうから順に選択する。これにより、本発明によれば、劣化の少ないＬＥＤを優先して使用することができ、特定のＬＥＤが他のＬＥＤに比べて極端に使用頻度が高くなるという状態の発生頻度を低減することができるので、複数のＬＥＤに対して寿命となるタイミングを近づけることができる。
【図面の簡単な説明】
【００１９】
【図１】実施形態１に係る照明装置であって、（ａ）は全体構成を示すブロック図、（ｂ）は制御器の構成を示すブロック図である。
【図２】同上に係る照明システムの構成を示す概略図である。
【図３】同上に係る照明装置の動作を示すフローチャートである。
【図４】同上に係る照明装置において、評価値を求める動作を示すフローチャートである。
【図５】同上に係る照明装置において、モードを選択する動作を示すフローチャートである。
【図６】同上に係る照明装置において、点灯させるＬＥＤを選択する動作を示すフローチャートである。
【図７】同上に係る照明装置において、点灯させるＬＥＤを選択した一例を示す図である。
【図８】同上の変形例に係る照明装置の構成を示す概略図である。
【図９】実施形態２に係る照明装置の制御器の構成を示すブロック図である。
【発明を実施するための形態】
【００２０】
（実施形態１）
実施形態１に係る照明装置は、予め定められた対象エリアを照明するように屋内（例えば事務所内・会議室など）に設置された照明器具である。本実施形態では、図２に示すように、１系統の通信信号線９を介して複数（図示例では４台）の照明装置（照明器具）１，１，……が接続されている。これら複数の照明装置１，１，……は照明システムを構成する。複数の照明装置１，１，……は、例えば天井面において窓側から奥側に向けて順に配列設置されている。各照明装置１は、後述の通信部４９（図１（ｂ）参照）を用いて相互に通信する。なお、図２には示していないが、各照明装置１には、電源線を介して商用電源が供給されている。
【００２１】
各照明装置１は、図１（ａ）に示すように、複数（図示例では４個）のＬＥＤ（Light Emitting Diode）２（２1）〜２（２4）と、複数（図示例では４個）の点灯回路３（３1）〜３（３4）と、制御器４と、器具本体５とを備えている。
【００２２】
複数のＬＥＤ２，２，……は、対象エリアに向かって同一色の光を発する。各ＬＥＤ２は調光可能である。各ＬＥＤ２には、優先順位が予め設定されている。以下、各ＬＥＤ２を個別に説明する際には、第１のＬＥＤ２1、第２のＬＥＤ２2、第３のＬＥＤ２3、第４のＬＥＤ２4と表わす。ＬＥＤ２の劣化の程度とは、初期点灯時に対する劣化の大きさをいう。これまでの点灯時間が長いほど、また点灯中の負荷が高いほど、ＬＥＤ２の劣化は大きくなる。なお、ＬＥＤ２の個数は、上記のように４個に限定されず、用途に応じて適宜設定される。
【００２３】
器具本体５は、例えば樹脂や金属などで形成された部材であり、複数のＬＥＤ２，２，……と複数の点灯回路３，３，……と制御器４とが収納されている。器具本体５には、全てのＬＥＤ２，２，……の発光面が同一面に露出するように全てのＬＥＤ２，２，……が設置されている。つまり、全てのＬＥＤ２，２，……は、対象エリアに光を照射するように、器具本体５に設置されている。
【００２４】
複数の点灯回路３，３，……は、それぞれが異なるＬＥＤ２に電力を供給して、ＬＥＤ２を点灯させる。各点灯回路３は、電源（例えば商用電源など）から供給された電力を、ＬＥＤ２を点灯させるのに適した電力に変換し、変換した電力をＬＥＤ２に供給する。ＬＥＤ２の点灯状態（調光率）は、制御器４によって設定される。以下、各点灯回路３を個別に説明する際には、第１の点灯回路３1、第２の点灯回路３2、第３の点灯回路３3、第４の点灯回路３4と表わす。
【００２５】
制御器４は、例えばマイクロコンピュータを主構成要素とし、各点灯回路３を制御することによって、各ＬＥＤ２を点灯制御する。制御器４は、図１（ｂ）に示すように、人感センサ４１と、明るさセンサ４２と、リモコン受信部４３と、制御部４４と、光出力命令部４５と、タイマ４６と、演算部４７と、記憶部４８と、通信部４９とを備えている。
【００２６】
人感センサ４１は、例えば対象エリアを検知エリアとする熱線センサであり、検知エリア内の人体から放射される熱線を検出する人検知部である。これにより、人感センサ４１は、対象エリアに存在する人を検知することができる。なお、対象エリアの人を検知する人検知部は、上記のような人感センサ４１に限定されず、他の構成であってもよい。
【００２７】
明るさセンサ４２は、対象エリアの明るさを検知する。明るさセンサ４２の検知対象は、例えば照度や輝度などである。
【００２８】
リモコン受信部４３は、リモートコントロール装置６からリモコン信号を受信する。リモコン信号は、リモートコントロール装置６から送信された無線信号である。リモコン信号に含まれている情報としては、照明装置１の電源をオンにする電源オン情報、照明装置１の電源をオフにする電源オフ情報がある。他には、全てのＬＥＤ２，２，……を点灯させるためのオン情報、所定の光出力となるように全点灯に対する調光率を表わす調光情報、全てのＬＥＤ２，２，……を消灯するためのオフ情報などがある。リモコン信号に含まれている情報は、リモコン受信部４３から制御部４４に出力される。
【００２９】
制御部４４は、例えばマイクロプロセッサ（ＭＰＵ：Micro Processing Unit）を主構成要素とし、プログラムに従って動作する。制御部４４は、各点灯回路３ごとに制御信号（調光信号）を出力するように光出力命令部４５に指示することによって、所定の光出力になるように各ＬＥＤ２の点灯状態を個別に制御する。制御部４４から光出力命令部４５には制御情報が出力され、光出力命令部４５から各点灯回路３には、制御情報を含む制御信号が出力される。
【００３０】
制御部４４は、リモコン受信部４３からオン情報を取得した場合、ＬＥＤ２を全点灯するための制御信号を全ての点灯回路３，３，……に出力するように光出力命令部４５に指示する。リモコン受信部４３からオフ情報を取得した場合、制御部４４は、ＬＥＤ２を消灯するための制御信号を全ての点灯回路３，３，……に出力するように光出力命令部４５に指示する。
【００３１】
また、制御部４４は、人感センサ４１で対象エリア内の人が検知された場合、所定の光出力となるように、ＬＥＤ２を調光点灯させるための制御信号を全ての点灯回路３，３，……に出力するように光出力命令部４５に指示する。つまり、設定された調光率で照明装置１が対象エリアを照明するように、全てのＬＥＤ２，２，……が同じ調光率で点灯する。例えば照明装置１の調光率が５０％に設定されている場合、制御部４４は、全てのＬＥＤ２，２，……の調光率を５０％に設定する。照明装置１の調光率は、基準値が予め設定されている。
【００３２】
上記のように人感センサ４１で対象エリア内の人が検知された場合において、明るさセンサ４２で検知された明るさが予め設定された明るさ範囲より明るいとき、制御部４４は、各ＬＥＤ２の調光率を下げて、照明装置１の調光率を基準値よりも下げる。これにより、対象エリアが明るい場合に、消費電力を低減することができる。一方、明るさセンサ４２で検知された明るさが明るさ範囲より暗いとき、制御部４４は、各ＬＥＤ２の調光率を上げて、照明装置１の調光率を基準値よりも上げる。なお、上記明るさ範囲は用途に応じて適宜設定され、固定値であってもよい。
【００３３】
タイマ４６は、各ＬＥＤ２が点灯している時間（点灯時間）を計測するために用いられる。タイマ４６によって計測された点灯時間の値は、記憶部４８に記憶される。
【００３４】
演算部４７は、例えばマイクロプロセッサを主構成要素とし、プログラムに従って動作する。演算部４７は、人感センサ４１で人が検知されなくなった場合に、継続して点灯させるＬＥＤ２を制御部４４が選択するために、各ＬＥＤ２ごとに、ＬＥＤ２の劣化の程度を表わす評価値を求める。本実施形態の演算部４７は、各ＬＥＤ２ごとに、評価値として、これまでの各点灯時の点灯時間と調光率との積の累積値を求める。調光率は、本発明の点灯中の負荷に相当する。これまでの各点灯時の点灯時間の値は、上述したように記憶部４８に記憶されている。演算部４７で求められた評価値は、記憶部４８に記憶される。
【００３５】
各ＬＥＤ２は、同じ調光率である場合、点灯時間が長くなるほど劣化が大きくなり、同じ点灯時間である場合、調光率が高くなるほど劣化が大きくなる。各ＬＥＤ２は、これまでにＬＥＤ２に流れた電流の累積値またはＬＥＤ２に供給された電力の累積値が大きいほど、劣化が大きくなる。したがって、本実施形態の照明装置１によれば、これまでの各点灯時の点灯時間と調光率との積の累積値を評価値とすることによって、これまでにＬＥＤ２に流れた電流の累積値およびＬＥＤ２に供給された電力の累積値を推定し、さらにＬＥＤ２の劣化の程度を推定することができる。
【００３６】
記憶部４８は、例えばＲＯＭ（Read Only Memory）とＲＡＭ（Random Access Memory）とで構成されている。記憶部４８のＲＯＭには、制御部４４および演算部４７を動作させるためのプログラムが記憶されている。記憶部４８のＲＡＭには、タイマ４６で計測された点灯時間の値と、演算部４７で求められた評価値とが記憶されている。
【００３７】
制御部４４は、人の不在時の動作に関するモードを選択する。選択可能なモードとしては、下限調光モードと、省エネモード（弱）と、省エネモード（中）と、省エネモード（強）とがある。省エネモード（弱）は、４個のＬＥＤ２，２，……の中から、点灯させるＬＥＤとして１個のＬＥＤ２を選択するモードである。省エネモード（中）は、４個のＬＥＤ２，２，……の中から、点灯させるＬＥＤとして２個のＬＥＤ２，２を選択するモードである。省エネモード（強）は、４個のＬＥＤ２，２，……の中から、点灯させるＬＥＤとして３個のＬＥＤ２，２，２を選択するモードである。各省エネモードにおいて、選択されたＬＥＤ２は、調光下限の調光率（２５％）で点灯する。選択されなかったＬＥＤ２は消灯する。下限調光モードは、全てのＬＥＤ２，２，……が調光下限の調光率（例えば２５％）で点灯するモードである。
【００３８】
人感センサ４１で対象エリア内の人が検知されて、各ＬＥＤ２が調光点灯した後、人感センサ４１で人が検知されなくなった場合、制御部４４は、照明装置１の調光率を下げるように、各ＬＥＤ２の調光率を下げる。本実施形態では、人感センサ４１で人が検知されなくなった場合、各ＬＥＤ２を点灯させる点灯回路３の調光下限以下にするために、複数のＬＥＤ２，２，……の中から、継続して点灯させるＬＥＤ２を選択する。つまり、全てのＬＥＤ２，２，……を継続して点灯させるのではなく、一部のＬＥＤ２のみを継続して点灯させ、残りのＬＥＤ２を消灯させる。
【００３９】
所定の光出力が、複数のＬＥＤ２，２，……の全てが調光下限で光を発するときの光出力未満である場合、制御部４４は、所定の光出力になるように各ＬＥＤ２を調光するときに、複数のＬＥＤ２，２，……の中から、点灯させるＬＥＤ２を評価値の小さいほうから順に選択する。２以上のＬＥＤ２，２において評価値が同じになった場合、制御部４４は、優先順位の高いＬＥＤ２を優先して点灯させる。制御部４４は、点灯させるＬＥＤ２と上記ＬＥＤ２の調光率（調光下限）との情報を光出力命令部４５に出力する。
【００４０】
通信部４９は、人感センサ４１の検知情報や明るさセンサ４２の検知情報、リモコン信号に含まれる情報などをデジタル信号に変換し、通信信号線９（図２参照）を介して他の照明装置１にデジタル信号を送信する。これにより、照明装置１は、他の照明装置１との間で上記情報を授受することができる。
【００４１】
次に、本実施形態に係る照明装置１の動作について図３を用いて説明する。対象エリアに人が存在する場合の調光率の初期値は１００％に設定されている。対象エリアに人が存在していない場合のモードは、上述した４つのモードのいずれかに予め設定されている。照明装置１は、点灯しているＬＥＤ２の点灯時間を計測する（図３のＳ１）。その後、照明装置１は、対象エリア内の人を検知すると、各ＬＥＤ２の点灯状態を切り替える（Ｓ２）。人の不在時における対象エリアの明るさを変更する場合、照明装置１は、４つのモードから所望のモードを選択する（Ｓ３）。照明装置１は、リモートコントロール装置６からリモコン信号を受信したか否かを確認し、リモコン信号の受信時にリモコン信号に含まれている情報に従って動作する（Ｓ４）。照明装置１は、ステップＳ１からステップＳ４までの処理を繰り返す。
【００４２】
次に、ステップＳ１の処理について図４を用いて説明する。まず、時刻ｔ＝０において（図４のＳ１１）、制御器４の演算部４７は、各点灯回路３に出力された調光率の情報を制御部４４から読み込む（Ｓ１２）。リセット信号が受信されていなければ（Ｓ１３）、演算部４７は、調光率×１（分）を計算する（Ｓ１４）。その後、演算部４７は、前回までの累積値（合計時間）に、ステップＳ１４で計算した値を加えて新たな累積値とする（Ｓ１５）。ステップＳ１５で求められた累積値は記憶部４８に記憶される（Ｓ１６）。演算部４７は、調光率を読み込んでから６０秒（１分）が経過するまで待機する（Ｓ１７）。これらの処理によって、演算部４７は、各ＬＥＤ２ごとに調光率×点灯時間を計算し、新たな累積値を求めることができる。なお、演算部４７は、必ずしも１分間隔で演算する必要はなく、用途に応じて適当な時間間隔で演算すればよい。
【００４３】
ステップＳ１３において、リモコン受信部４３がリモートコントロール装置６からリセット信号を受信した場合またはＬＥＤ２が交換された場合、制御部４４は、累積値（合計時間）をリセットする（Ｓ１８）。累積値をリセットする手段は、照明装置１がスイッチを備えたり、リモートコントロール装置６がリセット情報をリモコン信号に含めて送信する機能を有したりすることによって、実現される。
【００４４】
次に、ステップＳ２の処理について説明する。制御器４の人感センサ４１によって対象エリア内の人を検知した場合、制御部４４は、高い調光率（１００％）の制御信号を各点灯回路３に出力するように光出力命令部４５に指示する。人が検知されなかった場合、制御部４４は、各モードに対応する調光率の制御信号を各点灯回路３に送信するように光出力命令部４５に指示する。なお、複数の照明装置１，１，……を予めグルーピングしておくことによって、人感センサ４１の検知情報をある照明装置１から他の照明装置１に送信することが可能である。また、対象エリアに人が存在しているときの調光率としては、対象エリア内の机上面が予め定められた照度を保つような調光率が送信される。
【００４５】
続いて、人が不在である場合の照明装置１の動作について図５を用いて説明する。制御器４はモードを選択する（図５のＳ２１）。選択可能なモードとしては、省エネモード（弱）（Ｓ２２）と、省エネモード（中）（Ｓ２３）と、省エネモード（強）（Ｓ２４）と、下限調光モード（Ｓ２５）とがある。選択されたモードは、人感センサ４１によって人が検知されるまで継続される（Ｓ２６）。
【００４６】
ステップＳ２２〜Ｓ２４の省エネモードについて図６を用いて説明する。いずれかの省エネモードが選択されると、制御部４４は、各ＬＥＤ２の累積値（評価値）を記憶部４８から読み出し、累積値の小さい順に複数のＬＥＤ２，２，……を並び替える。その後、制御部４４は、点灯させるＬＥＤ２を、累積値の小さいほうから順にｎ個のＬＥＤ２を選択する（図６のＳ３１）。２以上のＬＥＤ２，２において累積値が同じであった場合、制御部４４は、優先順位の高いＬＥＤ２を優先して選択する。上記ｎは、省エネモード（弱）の場合ではｎ＝１、省エネモード（中）の場合ではｎ＝２、省エネモード（強）の場合ではｎ＝３となる。選択されたＬＥＤ２は、調光下限の調光率（２５％）で点灯する（Ｓ３２）。選択されなかったＬＥＤ２は消灯する。
【００４７】
例えば省エネモード（強）が選択された場合、図７に示すように、第１〜３のＬＥＤ２1〜２3の調光率は２５％に設定され、第４のＬＥＤ２4の調光率は０％に設定される。これにより、照明装置１としての調光率は、（２５％＋２５％＋２５％＋０％）／４個＝１８．７５％となる。
【００４８】
次に、ステップＳ３の処理について説明する。制御器４の明るさセンサ４２が対象エリアの明るさを検知し、検知された明るさが明るさ範囲より明るくなると、制御部４４は、各ＬＥＤ２の調光率を下げる。一方、検知された明るさが明るさ範囲より暗くなると、制御部４４は、各ＬＥＤ２の調光率を上げる。なお、雲の移動などによる一時的な明るさの変動によって各ＬＥＤ２の調光率が短時間で変動しないように、制御部４４は、一定の時間内で得られた明るさセンサ４２の検知情報を用いて、各ＬＥＤ２の調光率を決定する。なお、ステップＳ３の処理においても、ステップＳ２の処理と同様に、複数の照明装置１，１，……を予めグルーピングしておくことによって、明るさセンサ４２の検知情報をある照明装置１から他の照明装置１に送信することが可能である。なお、１つのグループ内に複数の明るさセンサ４２が存在する場合、いずれか１つの明るさセンサ４２のみを有効にし、残りの明るさセンサ４２を無効にする方法がある。また、複数の明るさセンサ４２に優先順位が設定されていれば、優先順位の最も高い明るさセンサ４２のみを有効にする方法がある。他の例としては、制御部４４が全ての明るさセンサ４２のデータを平均化し、平均化した値を用いて調光率を設定する方法などがある。
【００４９】
次に、ステップＳ４の処理について説明する。リモコン受信部４３がリモートコントロール装置６からのリモコン信号を受信した際に、制御部４４は、リモコン受信部４３で受信されたリモコン信号に含まれている情報に従って動作する。
【００５０】
以上、本実施形態の照明装置１では、所定の光出力に調光する場合に、演算部４７が、各ＬＥＤ２ごとにこれまでの各点灯時の点灯時間と点灯中の負荷とからＬＥＤ２の劣化の程度を表わす評価値を求め、制御部４４が、複数のＬＥＤ２，２，……の中から、点灯させるＬＥＤ２を評価値の小さいほうから順に選択する。これにより、本実施形態の照明装置１によれば、劣化の少ないＬＥＤ２を優先して使用することができ、特定のＬＥＤ２が他のＬＥＤ２に比べて極端に使用頻度が高くなるという状態の発生頻度を低減することができるので、複数のＬＥＤ２，２，……に対して寿命となるタイミングを近づけることができる。
【００５１】
また、本実施形態の照明装置１によれば、２以上のＬＥＤ２，２において評価値が同じになった場合に、制御部４４が優先順位の高いＬＥＤ２を優先して点灯させるので、優先して点灯させたいＬＥＤ２を事前に決めておくことができる。
【００５２】
さらに、本実施形態の照明装置１によれば、各ＬＥＤ２ごとにこれまでの各点灯時の点灯時間と調光率との積の累積値を評価値とすることによって、各ＬＥＤ２ごとにこれまでにＬＥＤ２に流れた電流の累積値およびＬＥＤ２に供給された電力の累積値を推定し、さらにＬＥＤ２の劣化の程度を推定することができる。これにより、本実施形態の照明装置１では、点灯させるＬＥＤ２を制御部４４が選択する際に、各ＬＥＤ２のこれまでの使用状態をより正確に反映することができる。
【００５３】
また、本実施形態の照明装置１は、複数のＬＥＤ２，２，……の中から、点灯させるＬＥＤ２を選択し、選択されたＬＥＤ２が調光下限で点灯することによって、複数のＬＥＤ２，２，……の全てが調光下限で点灯するときの光出力よりも小さい光出力にすることができる。これにより、本実施形態の照明装置１によれば、対象エリアへの光出力の設定可能な範囲を広げることができる。
【００５４】
さらに、本実施形態の照明装置１では、蛍光灯ではなく複数のＬＥＤ２，２，……が光源として用いられ、複数のＬＥＤ２，２，……が１台の器具本体５に設置されている。これにより、本実施形態の照明装置１では、複数のＬＥＤ２，２，……のうちいくつかのＬＥＤ２が消えていても、目立ちにくく、見た目にも（意匠的にも）問題がない。
【００５５】
また、本実施形態の照明装置１は、複数のＬＥＤ２，２，……が１台の器具本体５に設置され、複数のＬＥＤ２，２，……の中から、点灯させるＬＥＤ２を選択して所定の光出力にすることができる。これにより、本実施形態の照明装置１は、安価な構成でありながら、メンテナンス上も問題なく、対象エリアへの光出力を下げることができ、省エネルギー効果を高めることができる。
【００５６】
なお、本実施形態の変形例として、照明装置１は、各ＬＥＤ２ごとに異なる点灯回路３を備えるのではなく、図８に示すように複数のＬＥＤ２，２，……に対して１個の点灯回路３しか備えていなくてもよい。つまり、本変形例の照明装置１では、１個の点灯回路３が複数のＬＥＤ２，２，……に電力を供給する。本変形例の照明装置１には、各ＬＥＤ２と点灯装置３との間にスイッチ８が設けられている。制御器４の制御部４４（図１（ｂ）参照）は、各スイッチ８のオンオフを制御することによって、複数のＬＥＤ２，２，……の中から、点灯させるＬＥＤ２を選択することができる。本変形例の照明装置１においても、制御部４４は、複数のＬＥＤ２，２，……の中から、点灯させるＬＥＤ２を評価値の小さいほうから順に選択する。これにより、特定のＬＥＤ２が他のＬＥＤ２に比べて極端に使用頻度が高くなるという状態の発生頻度を低減することができるので、複数のＬＥＤ２，２，……に対して寿命となるタイミングを近づけることができる。以下の実施形態２においても同様である。
【００５７】
また、本実施形態の他の変形例として、照明装置１は、明るさセンサ４２を備えていなくてもよい。本変形例の場合、各ＬＥＤ２は、対象エリアに人が存在しているときに全点灯（１００％出力）であってもよいし、リモートコントロール装置６で設定された調光率で点灯してもよいし、通信部４９が受信した信号などによって決定された調光率で点灯してもよい。本変形例の照明装置１であっても、本実施形態の照明装置１と同様に、劣化の少ないＬＥＤ２を優先して使用することができ、特定のＬＥＤ２が他のＬＥＤ２に比べて極端に使用頻度が高くなるという状態の発生頻度を低減することができるので、複数のＬＥＤ２，２，……に対して寿命となるタイミングを近づけることができるという効果を奏する。以下の実施形態２においても同様である。
【００５８】
さらに、本実施形態の他の変形例として、制御器４または制御器４の一部（例えば人感センサ４１や明るさセンサ４２など）は、器具本体５の内部に収納されるのではなく、器具本体５の外部に器具本体５とは別体に設置されていてもよい。以下の実施形態２においても同様である。
【００５９】
なお、評価値は、これまでの各点灯時の点灯時間と調光率との積に限定されず、これまでの各点灯時の点灯時間と調光率とを用いた積以外の演算で求められた値であってもよい。
【００６０】
（実施形態２）
実施形態２に係る照明装置１は、各ＬＥＤ２ごとに、ＬＥＤ２の累積点灯時間と点灯回路３の温度との積を評価値として用いる点で、実施形態１に係る照明装置１と相違する。以下、本実施形態の照明装置１について図９を用いて説明する。本実施形態においても、実施形態１と同様、ＬＥＤ２の劣化の程度とは、初期点灯時に対する劣化の大きさをいう。これまでの点灯時間が長いほど、また点灯中の負荷が大きいほど、ＬＥＤ２の劣化は大きくなる。なお、実施形態１の照明装置１と同様の構成要素については、同一の符号を付して説明を省略する。
【００６１】
本実施形態の制御器４は、図９に示すように温度センサ７を備えている。温度センサ７は、各点灯回路３の温度を個別に検知する。温度センサ７は、本発明の温度検知部に相当する。
【００６２】
本実施形態の演算部４７は、省エネモードが選択されると、各ＬＥＤ２ごとに、ＬＥＤ２の累積点灯時間と点灯回路３の温度との積を評価値として求める。
【００６３】
各ＬＥＤ２は、累積点灯時間が長くなるほど劣化が大きくなり、点灯させるのに必要な電力が大きくなる。各点灯回路３は、ＬＥＤ２への供給電力が大きくなると、温度が高くなる。したがって、本実施形態の照明装置１によれば、累積点灯時間と点灯回路３の温度との積を評価値とすることによって、点灯回路３からＬＥＤ２への電力供給状態を推定し、さらに各ＬＥＤ２の劣化の程度を推定することができる。
【００６４】
本実施形態の制御部４４は、演算部４７で求められた評価値を用いて、複数のＬＥＤ２，２，……の中から、評価値の小さいほうから順にｎ個のＬＥＤ２を選択する。なお、本実施形態において、２以上のＬＥＤ２，２において評価値が同じである場合、点灯回路３の温度が高いＬＥＤ２を消灯させるか、累積点灯時間の長いＬＥＤ２を消灯させるかを決定し、決定事項に応じて各ＬＥＤ２に優先順位を予め設定しておくことができる。
【００６５】
本実施形態に係る照明装置１の動作の一例を示す。まず、本実施形態の演算部４７は、以下のように各ＬＥＤ２の評価値を求める。第１の点灯回路３1の温度が３０℃であって、第１のＬＥＤ２1の点灯時間が１０時間である場合、第１のＬＥＤ２1の評価値は、３０℃×１０時間＝３００となる。第２の点灯回路３2の温度が８０℃であって、第２のＬＥＤ２2の点灯時間が６時間である場合、第２のＬＥＤ２2の評価値は、８０℃×６時間＝４８０となる。第３の点灯回路３3の温度が６０℃であって、第３のＬＥＤ２3の点灯時間が８時間である場合、第３のＬＥＤ２3の評価値は、６０℃×８時間＝４８０となる。第４の点灯回路３4の温度が５０℃であって、第４のＬＥＤ２4の点灯時間が５時間である場合、第４のＬＥＤ２4の評価値は、５０℃×５時間＝２５０となる。上記の例では、評価値の最も大きいＬＥＤが第２のＬＥＤ２2と第３のＬＥＤ２3であり、次に大きいＬＥＤが第１のＬＥＤ２1であり、次に大きいＬＥＤが第４のＬＥＤ２4である。
【００６６】
続いて、本実施形態の制御部４４は、演算部４７の演算結果を用いて、点灯させるＬＥＤ２を選択する。省エネモード（弱）が選択された場合、制御部４４は、点灯させるＬＥＤとして第４のＬＥＤ２4を選択する。つまり、制御部４４は、第４のＬＥＤ２4の調光率を２５％に設定し、他のＬＥＤ２1，２2，２3の調光率を０％に設定する。これにより、照明装置１の調光率は、（２５％＋０％＋０％＋０％）／４個＝６．２５％になる。
【００６７】
省エネモード（中）が選択された場合、制御部４４は、点灯させるＬＥＤとして第１のＬＥＤ２1と第４のＬＥＤ２4とを選択する。つまり、制御部４４は、第１のＬＥＤ２1および第４のＬＥＤ２4の調光率をそれぞれ２５％に設定し、他のＬＥＤ２2，２3の調光率を０％に設定する。これにより、照明装置１の調光率は、（２５％＋２５％＋０％＋０％）／４個＝１２．５％になる。
【００６８】
省エネモード（強）が選択された場合、第２のＬＥＤ２2のほうが第３のＬＥＤ２3より優先順位が高いとき、制御部４４は、点灯させるＬＥＤとして第１のＬＥＤ２1と第２のＬＥＤ２2と第４のＬＥＤ２4とを選択する。つまり、制御部４４は、第１のＬＥＤ２1と第２のＬＥＤ２2と第４のＬＥＤ２4との調光率をそれぞれ２５％に設定し、第３のＬＥＤ２3の調光率を０％に設定する。これにより、照明装置１の調光率は、（２５％＋２５％＋２５％＋０％）／４個＝１８．７５％になる。なお、第３のＬＥＤ２3のほうが第２のＬＥＤ２2より優先順位が高いとき、制御部４４は、点灯させるＬＥＤとして第２のＬＥＤ２2に代えて第３のＬＥＤ２3を選択する。
【００６９】
下限調光モードが選択された場合、制御部４４は、実施形態１と同様に第１〜４のＬＥＤ２1〜２4の調光率を２５％に設定する。これにより、照明装置１の調光率は２５％になる。
【００７０】
以上、本実施形態の照明装置１では、温度センサ７が各点灯回路３の温度を検知して、制御部４４が、累積点灯時間と点灯回路３の温度との積が小さいほうから順に、点灯させるＬＥＤ２を選択する。これにより、本実施形態の照明装置１によれば、温度の高い点灯回路３つまり負荷の大きな点灯回路３を停止することができるので、点灯回路３の寿命を延ばすことができる。
【００７１】
なお、評価値は、ＬＥＤ２の累積点灯時間と点灯回路３の温度との積に限定されず、ＬＥＤ２の累積点灯時間と点灯回路３の温度とを用いた積以外の演算で求められた値であってもよい。
【符号の説明】
【００７２】
１  照射装置
２（２1〜２4）  ＬＥＤ
３（３1〜３4）  点灯回路
４４  制御部
４７  演算部
５  器具本体
７  温度センサ（温度検知部）
【図１】
2011233263.tif 000003
【図２】
2011233263.tif 000004
【図３】
2011233263.tif 000005
【図４】
2011233263.tif 000006
【図５】
2011233263.tif 000007
【図６】
2011233263.tif 000008
【図７】
2011233263.tif 000009
【図８】
2011233263.tif 000010
【図９】
2011233263.tif 000011